(57)【特許請求の範囲】
【請求項１】
基材上の印刷層と、有機物を分解する光触媒活性物質を含む分解機能層と、両層間に配置され、前記光触媒活性物質の前記印刷層への作用を遮断する遮断層とを含み、前記遮断層は、有機モノマーとチタン又は珪素のアルコキシドとを混合し、反応させて得た有機―無機複合体から成る、化粧シート。
【請求項２】
前記分解機能層は酸化チタンを含む被膜から成る、請求項１に記載の化粧シート。
【請求項３】
前記被膜はアナターゼ型酸化チタン超微粒子を含む水分散ゾル液からゾル・ゲル法によって形成して成る、請求項２に記載の化粧シート。
【請求項４】
前記分解機能層は酸化チタンと酸化珪素との混合物を含む被膜から成る、請求項１に記載の化粧シート。
【請求項５】
前記被膜はアナターゼ型酸化チタン超微粒子と加水分解性オルガノアルコキシシランの水分散ゾル液からゾル・ゲル法により形成してなる、請求項４に記載の化粧シート。
【請求項６】
前記印刷層と前記遮断層との間に配置された有機高分子コート層を含む、請求項１に記載の化粧シート。
【請求項７】
前記有機高分子コート層は熱硬化性樹脂又は放射線硬化型樹脂から成る、請求項６に記載の化粧シート。
【請求項８】
基材上に印刷層を設け、該印刷層上に遮断層であって有機モノマーとチタン又は珪素のアルコキシドとを混合し、反応させて得た有機―無機複合体から成る遮断層を設け、該遮断層上に分解機能層を設けることを含む、化粧シートの製造方法。
【請求項９】
基材上に印刷層を設け、該印刷層上に有機高分コート層を設け、該コート層上に遮断層であって有機モノマーとチタン又は珪素のアルコキシドとを混合し、反応させて得た有機―無機複合体から成る遮断層を設け、該遮断層上に分解機能層を設けることを含む、化粧シートの製造方法。
【発明の詳細な説明】
【０００１】
【発明の属する技術分野】
本発明は、建築物の内装材又は外装材の製造や、家具、住宅設備機器、家電製品等の表面材の製造に使用される化粧シート及びその製造方法に関する。
【０００２】
【従来の技術】
建築物の内外装面又は家具などの表面には、人間がその生活空間において発生した様々な臭い、汚れ等の有機物が吸着され又は付着しており、その表面は、時間の経過と共に外見を損ね、かつ、衛生上好ましくない状態を招く。これを防止するために、従来、臭いや汚れの成分を吸収する吸収剤、これを分解する分解剤等を化粧シートの表面に塗布したり、化粧シート中に分散することが行われてきた。しかし、これらの方法によって相応の結果を得るためには、多量の吸収剤や分解剤を必要とし、これを化粧シートに配置する場合、化粧シートは必要な表面物性を備えることができなくなるという問題がある。
【０００３】
【発明が解決しようとする課題】
本発明の目的は、前記した吸収剤や分解剤を使用することなしに、したがって表面物性を損なうことなしに、表面に付着する臭い、カビ及び菌類を分解し、外見上及び衛生上きれいな表面を保持する化粧シートを提供することにある。
【０００４】
【課題を解決するための手段】
本発明は、上記の目的を達成するために、紫外線の照射を受けて光触媒活性を示し有機物を分解する光触媒活性物質を化粧シートの表層に配することを基本構想とするものである。したがって、本発明にかかる化粧シートは、基本的に、基材上の印刷層と、有機物を分解する光触媒活性物質を含む分解機能層と、両層間に配置され、前記光触媒活性物質の前記印刷層への作用を遮断する遮断層とを含む。
【０００５】
前記分解機能層は酸化チタンを含む被膜から成り、この被膜はアナターゼ型酸化チタン超微粒子を含む水分散ゾル液からゾル・ゲル法によって形成することができる。また、前記分解機能層は酸化チタンと酸化珪素との混合物を含む被膜から成り、この被膜はアナターゼ型酸化チタン超微粒子と加水分解性オルガノアルコキシシランの水分散ゾル液からゾル・ゲル法により形成することができる。
【０００６】
次に、前記遮断層は、酸化珪素ゲルまたは多孔性アルミナから成る。これに代えて、前記遮断層は、有機モノマーとチタン又は珪素のアルコキシドとを混合し、反応させて得た有機―無機複合体で構成する。
【０００７】
化粧シートの表面物性の補強を目的として前記印刷層と前記遮断層との間に有機高分子コート層を設ける。この有機高分子コート層は熱硬化性樹脂又は放射線硬化型樹脂から成る。
【０００８】
本発明にかかる化粧シートの製造方法は、基材上に印刷層を設け、該印刷層上に遮断層を設け、該遮断層上に分解機能層を設けることを含む。さらに、本発明にかかる化粧シートの製造方法は、表面物性の補強のために、前記印刷層上に有機高分子コート層を設け、その後該有機高分子コート層上に前記遮断層を設け、最後に該遮断層上に前記分解機能層を設けることを含む。
【０００９】
【発明の効果】
本発明によれば、化粧シートの表層として、有機物を分解する光触媒活性物質を含む分解機能層を設けたことにより、光触媒活性物質が化粧材の表面に臭い、汚れ等の有機物が吸着され又は付着するのを防ぎ、化粧材の外見及び衛生状態をきれいに保つことができる。
【００１０】
【実施の形態】
図１に示すように、本発明にかかる化粧シート１０は、全体に、基材１２と、有機バインダーを含むインキを使用して基材１２上に順次印刷されたベタ刷り層１４a 及び絵柄層１４ｂから成る印刷層１４と、化粧シートの表面物性を補強するための有機高分子コート層１６と、表層である、有機物を分解する光触媒活性物質を含む分解機能層１８と、前記コート層と前記分解機能層との間に配置され、前記光触媒活性物質の前記有機コート層及び印刷層への作用を遮断する遮断層２０とを含む。
【００１１】
基材１２は、化粧紙用として一般的に使用されている薄葉紙、ラテックスその他の樹脂を含浸した含浸紙、塩化ビニルのような自己支持性のプラスチックフィルム、蒸着フィルム、アルミ箔のような金属箔、不織布、合成紙のいずれでもよい。
【００１２】
分解機能層１８は酸化チタンを含む被膜から成り、この被膜は平均粒径０．００１ないし０．５μｍの光触媒用アナターゼ型酸化チタン超微粒子を含む水分散ゾル液からゾル・ゲル法によって形成した０．００５ないし３μｍの薄膜である。
【００１３】
他の例として、分解機能層１８は酸化チタンと酸化珪素との混合物を含む被膜から成り、この被膜はアナターゼ型酸化チタン超微粒子と加水分解性オルガノアルコキシシランの水分散ゾル液からゾル・ゲル法により形成することができる。この場合、酸化チタンは、バインダーとなる加水分解性オルガノアルコキシシランとともに水中に分散混合し、ロールコーター、グラビアコーター又はナイフコーターを用いて塗布し、乾燥し、加熱熟成し、酸化チタンと酸化珪素とからなる薄膜を形成する。分解機能層１８中に含まれる酸化チタンの割合は、酸化珪素に対して３０％以上であることが好ましい。水分散液には親水性の有機溶媒を適宜混合することができる。
【００１４】
有機高分子コート層１６と分解機能層１８との間又は印刷層１４と分解機能層１８との間に、有機高分子コート層又は印刷層の保護のために設けられる遮断層２０は、酸化チタンの分解作用が主として有機化合物に働くことから、無機化合物から成ることが好ましい。そこで、遮断層２０を酸化珪素ゲルまたは多孔性アルミナで構成する。
【００１５】
しかし、チタン又は珪素のアルコキシドと有機モノマーとの反応によって得られる無機―有機複合体は、有機高分子の物性が皮膜の性能を向上させるので有利に使用することができる。そこで、遮断層２０を有機モノマーとチタン又は珪素のアルコキシドとを混合し、反応させて得た有機―無機複合体で構成する。
【００１６】
遮断層２０は、また、加水分解性オルガノアルコキシシランの水分散液から、または加水分解性オルガノアルコキシシランと有機モノマーとの混合分散液から分解機能層１８と同様に形成することができる。
【００１７】
印刷層１４と遮断層２０との間の有機高分子コート層１６は、フェノール系、尿素系、メラミン系、エポキシ系、ポリエステル系、ポリウレタン系等の熱硬化性樹脂のほか、放射線硬化型樹脂のような、化粧シートのトップコート層として通常使用されている材料から成る。
【００１８】
印刷層１４のうちのベタ刷り層１４a は、基材１２の表面状態によっては省くことができる。同様に、化粧シート１０の表面物性を高めるための有機高分子コート層１６も化粧シートの用途によっては省くことができる。
【００２１】
【図面の簡単な説明】
【図１】本発明にかかる化粧シートの一部を断面で示す図である。
【符号の説明】
１０  化粧シート
１２  基材
１４  印刷層
１６  有機高分子コート層
１８  分解機能層
２０  遮断層
【図１】
0003996682.tif 000002